(57)【特許請求の範囲】
【請求項１】
カメラ本体に設けられた第１のフォーカス操作部と、カメラにケーブルを介して設けられた第２のフォーカス操作部とを有し、前記第１のフォーカス操作部又は第２のフォーカス操作部を操作してフォーカス駆動部を駆動させることによりピント調整を行うカメラのフォーカス操作装置に於いて、
前記第１のフォーカス操作部、若しくは第２のフォーカス操作部のうちどちらか一方のフォーカス操作部をピント調整用に切り換えて使用させる切換手段を設けたことを特徴とするカメラのフォーカス操作装置。
【請求項２】
前記切換手段はリレー回路であり、該リレー回路は、前記第１のフォーカス操作部から操作信号が出力されると該第１のフォーカス操作部と前記フォーカス駆動部とを導通させて第１のフォーカス操作部をピント調整用に切り換えると共に、前記第２のフォーカス操作部から操作信号が出力されると該第２のフォーカス操作部と前記フォーカス駆動部とを導通させて第２のフォーカス操作部をピント調整用に切り換えることを特徴とする請求項１記載のカメラのフォーカス操作装置。
【請求項３】
前記切換手段は前記第１のフォーカス操作部に設けられた第１の手動スイッチ、及び前記第２のフォーカス操作部に設けられた第２の手動スイッチであり、前記第１の手動スイッチはＯＮ操作されると第１のフォーカス操作部と前記フォーカス駆動部とを導通させて第１のフォーカス操作部をピント調整用に切り換え、前記第２の手動スイッチはＯＮ操作されると第２のフォーカス操作部と前記フォーカス駆動部とを導通させて第２のフォーカス操作部をピント調整用に切り換えることを特徴とする請求項１記載のカメラのフォーカス操作装置。
【発明の詳細な説明】
【０００１】
【発明の属する技術分野】
本発明はカメラのフォーカス操作装置に係り、特にフィールドカメラやスタジオカメラ等の放送用大型テレビカメラのフォーカス操作装置に関する。
【０００２】
【従来の技術】
従来、この種のテレビカメラのフォーカス操作は、雲台のパン・チルト棒やカメラに固定されたＬ字アングル部材等にフォーカス操作部（フォーカスデマンド）を外付けして、このフォーカス操作部をカメラマンが操作することにより行われている。前記外付けのフォーカス操作部は、カメラにケーブルを介して接続されており、フォーカス操作部からフォーカス駆動部に駆動信号を出力している。また、最近では、フォーカス操作部をテレビカメラのカメラ本体側面に予め取り付けて操作性を向上させたものもある。
【０００３】
【発明が解決しようとする課題】
しかしながら、従来のフォーカス操作装置では、カメラ本体側面にフォーカス操作部が取り付けられたテレビカメラを使用する場合でも、カメラマンによっては習慣的に又は使い勝手から外付けのフォーカス操作部をカメラに接続して、外付けのフォーカス操作部で操作しようとする場合がある。
【０００４】
この場合、各々のフォーカス操作部から出力された２つの駆動信号が干渉してしまうので、フォーカス駆動部を制御することができず、これによりピント調整を行うことができないという欠点がある。
本発明はこのような事情に鑑みてなされたもので、カメラ本体に設けられた第１のフォーカス操作部、カメラにケーブルを介して設けられた第２のフォーカス操作部の両方を不具合なく使用することができるカメラのフォーカス操作装置を提供することを目的とする。
【０００５】
【課題を解決するための手段】
本発明は、前記目的を達成するために、カメラ本体に設けられた第１のフォーカス操作部と、カメラにケーブルを介して設けられた第２のフォーカス操作部とを有し、前記第１のフォーカス操作部又は第２のフォーカス操作部を操作してフォーカス駆動部を駆動させることによりピント調整を行うカメラのフォーカス操作装置に於いて、前記第１のフォーカス操作部、若しくは第２のフォーカス操作部のうちどちらか一方のフォーカス操作部をピント調整用に切り換えて使用させる切換手段を設けたことを特徴とする。
【０００６】
本発明は切換手段を設け、この切換手段を第１のフォーカス操作部側に切り換えると第１のフォーカス操作部がピント調整用に使用され、第２のフォーカス操作部側に切り換えると第２のフォーカス操作部がピント調整用に使用されるようにしたので、第１、第２のフォーカス操作部を不具合なく使用することができる。
【０００７】
また、本発明では前記切換手段をリレー回路で構成し、このリレー回路は、第１のフォーカス操作部から操作信号が出力されると、第１のフォーカス操作部とフォーカス駆動部とを導通させて第１のフォーカス操作部をピント調整用に切り換える。また、前記リレー回路は、第２のフォーカス操作部から操作信号が出力されると、第２のフォーカス操作部とフォーカス駆動部とを導通させて第２のフォーカス操作部をピント調整用に切り換える。これにより、本発明では第１、第２のフォーカス操作部を不具合なく使用することができる。
【０００８】
更に、本発明では前記切換手段を手動のスイッチで構成している。このスイッチは、第１のフォーカス操作部に設けられた第１の手動スイッチ、及び第２のフォーカス操作部に設けられた第２の手動スイッチである。そして、第１の手動スイッチは、カメラマンによってＯＮ操作されると第１のフォーカス操作部とフォーカス駆動部とを導通させて第１のフォーカス操作部をピント調整用に切り換える。また、第２の手動スイッチは、ＯＮ操作されると第２のフォーカス操作部とフォーカス駆動部とを導通させて第２のフォーカス操作部をピント調整用に切り換える。これにより、本発明では第１、第２のフォーカス操作部を不具合なく使用することができる。
【０００９】
【発明の実施の形態】
以下添付図面に従って本発明に係るカメラのフォーカス操作装置の好ましい実施の形態を詳述する。
図１は、本発明に係るカメラのフォーカス操作装置が適用されたテレビカメラの実施例を示す説明図である。同図に示すテレビカメラ１０はカメラ部１２とレンズ部１４とから構成され、三脚１６上に雲台１８を介して固定されている。符号２０はカメラ部１２のファインダである。
【００１０】
前記テレビカメラ１０には、第１のフォーカス操作部２２がカメラ部１２の本体ケース側面に取り付けられ、第２のフォーカス操作部２４がケーブル２６を介してレンズ部１４に接続されると共にカメラ部１２に固定されたＬ字アングル部材２８に取り付けられている。
前記第１のフォーカス操作部２２、第２のフォーカス操作部２４は図２に示すように、可変抵抗器を主な構成としており、可変される抵抗値によってフォーカス駆動部３０を制御して図示しないフォーカスレンズの移動量を制御しピント調整を行う。また、第２のフォーカス操作部２４には、切換信号発生器３２が内蔵されている。この切換信号発生器３２については後述する。
【００１１】
第１のフォーカス操作部２２、第２のフォーカス操作部２４からの駆動信号（抵抗値を示す電圧信号）は、リレー回路３４を介して前記フォーカス駆動部３０に出力されている。リレー回路３４は図中実線で示すように、第１のフォーカス操作部２２の接点３６と接続されており、この状態では第１のフォーカス操作部２２とフォーカス駆動部３０とが導通されている。また、リレー回路３４は、前記切換信号発生器３２から切換信号（操作信号）が出力されると、前記接点３６から離れて第２のフォーカス操作部２４の接点３８と接続される。これにより、導通状態が第１のフォーカス操作部２２側から第２のフォーカス操作部２４側に切り換えられる。
【００１２】
前記切換信号発生器３２は、カメラマンによってＯＮ／ＯＦＦ操作されるスイッチ４０を有し、ＯＮ状態では前記切換信号をリレー回路３４に出力し続ける。これにより、リレー回路３４が第２のフォーカス操作部２４とフォーカス駆動部３０とを導通させた状態を保持するので、第２のフォーカス操作部２４のみがピント調整用として使用される。また、前記スイッチ４０がＯＦＦされると、リレー回路３４に切換信号が出力されなくなるので、第１のフォーカス操作部２２とフォーカス駆動部３０とが導通し、第１のフォーカス操作部２２のみがピント調整用として使用される。
【００１３】
次に、前記の如く構成されたカメラのフォーカス操作装置の第１実施例の作用について説明する。
先ず、カメラマンが第２のフォーカス操作部２４を使用してピント調整を行いたい場合には、カメラマンが切換信号発生器３２のスイッチ４０を予めＯＮにする。これにより、切換信号発生器３２からリレー回路３４に切換信号が出力されて、第２のフォーカス操作部２４とフォーカス駆動部３０とが導通するので、第２のフォーカス操作部２４でピント調整を行うことができる。
【００１４】
また、カメラマンが第１のフォーカス操作部２２を使用してピント調整を行いたい場合には、カメラマンが切換信号発生器３２のスイッチ４０をＯＦＦにする。これにより、切換信号発生器３２からリレー回路３４に切換信号が出力されなくなり、第１のフォーカス操作部２２とフォーカス駆動部３０とが導通するので、第１のフォーカス操作部２２でピント調整を行うことができる。
【００１５】
従って、第１実施例では、リレー回路３４の切り換えによって各々のフォーカス操作部２２、２４同士の信号の干渉を防止したので、第１、第２のフォーカス操作部２２、２４を不具合なく使用することができる。
本第１実施例では、第２のフォーカス操作部２４側に切換信号発生器３２を設けて、第２のフォーカス操作部２４を使用する際に接点３６から接点３８にリレー回路３４を切り換えるようにしたが、切換信号発生器３２は第１のフォーカス操作部２２側に設けても良く、両方のフォーカス操作部２２、２４に設けても良い。
【００１６】
また、本第１実施例では、切換信号発生器３２からの切換信号のＯＮ／ＯＦＦによりリレー回路３４を切り換えるようにしたが、これに限られるものではなく、第２のフォーカス操作部２４から出力される電圧信号の信号線の一本（図２中二点鎖線で示す）４２を、リレー回路３４とのコネクタ部分で分岐して、この一方の信号線４２から出力される電圧信号でリレー回路３４を切り換えるようにしても良い。また、リレー回路３４の代わりに、カメラマンが手動で切り換えることができるスイッチをテレビカメラ１０に設け、このスイッチで第１のフォーカス操作部２２側、若しくは第２のフォーカス操作部２４側に切り換えるようにしても良い。
【００１７】
図３は、本発明のカメラのフォーカス操作装置に係る第２実施例の説明図であり、図１、２に示した第１実施例と同一若しくは類似の部材については同一の符号を付してその説明は省略する。
図３に示すフォーカス操作装置は、第１実施例で示したリレー回路３４の代わりにスイッチ４４、４６を設けたものである。
【００１８】
前記スイッチ４４、４６はカメラマンが手動でＯＮ／ＯＦＦ操作するもので、スイッチ４４は図１に示した第１のフォーカス操作部２２に設けられ、スイッチ４６は第２のフォーカス操作部２４に設けられている。
前記スイッチ４４は、ＯＮされると第１のフォーカス操作部２２とフォーカス駆動部３０とを導通させて第１のフォーカス操作部２２をピント調整用に切り換える。また、前記スイッチ４６は、ＯＮされると第２のフォーカス操作部２４とフォーカス駆動部３０とを導通させて第２のフォーカス操作部２４をピント調整用に切り換える。
【００１９】
従って、カメラマンが第１のフォーカス操作部２２でピント調整を行いたい場合には、スイッチ４４をＯＮにしスイッチ４６をＯＦＦにする。そして、第２のフォーカス操作部２４でピント調整を行いたい場合には、スイッチ４４をＯＦＦにしスイッチ４６をＯＮにする。これにより、第２実施例でも、第１、第２のフォーカス操作部２２、２４を不具合なく使用することができる。
【００２０】
図４は、本発明のカメラのフォーカス操作装置に係る第３実施例の説明図であり、図１〜３に示した第１、２実施例と同一若しくは類似の部材については同一の符号を付してその説明は省略する。
同図に示すフォーカス操作装置は、第１のフォーカス操作部２２から出力される電圧信号を抵抗Ｒ１を介してフォーカス駆動部３０に出力し、第２のフォーカス操作部２４から出力される電圧信号を抵抗Ｒ２を介してフォーカス駆動部３０に出力している。前記抵抗Ｒ１、Ｒ２はＲ１＞Ｒ２の関係にあり、即ち、第２のフォーカス操作部２４をカメラ側に接続すると、第２のフォーカス操作部２４からの電圧信号の電位が、第１のフォーカス操作部２２からの電圧信号の電位よりも大きくなるので、第２のフォーカス操作部２４をピント調整用として優先的に使用することができる。この場合、Ｒ１の抵抗値はＲ２の抵抗値の１００倍程度が好ましい。また、第１のフォーカス操作部２２を使用する場合には、第２のフォーカス操作部２４をカメラ側から取り外せば良い。
【００２１】
本発明の実施の形態では切換手段をリレー回路３４、手動スイッチ４４、４６、及び抵抗Ｒ１、Ｒ２等で構成したが、これに限られるものではなく、カメラ部１２とレンズ部１４とのインターフェースに切換装置を設けても良い。
また、本発明の実施の形態では、フォーカス操作装置の切換手段について説明したが、ズーム操作装置の操作部がフォーカス操作部２２、２４と同様に２台設けられている場合には、ズーム操作装置についても本実施の形態の切換手段を適用することができる。
【００２２】
【発明の効果】
以上説明したように本発明に係るカメラのフォーカス操作装置によれば、第１のフォーカス操作部、若しくは第２のフォーカス操作部のうちどちらか一方のフォーカス操作部をピント調整用に切り換えて使用させる切換手段を設けたので、第１、第２のフォーカス操作部を不具合なく使用することができる。
【図面の簡単な説明】
【図１】本発明に係るカメラのフォーカス操作装置が適用されたテレビカメラの外観図
【図２】本発明に係るカメラのフォーカス操作装置の第１実施例を示す説明図
【図３】本発明に係るカメラのフォーカス操作装置の第２実施例を示す説明図
【図４】本発明に係るカメラのフォーカス操作装置の第３実施例を示す説明図
【符号の説明】
１０…テレビカメラ
２２…第１のフォーカス操作部
２４…第２のフォーカス操作部
３０…フォーカス駆動部
３２…切換信号発生器
３４…リレー回路
４４、４６…スイッチ
【図１】
0003557574.tif 000002
【図２】
0003557574.tif 000003
【図３】
0003557574.tif 000004
【図４】
0003557574.tif 000005